(57)【要約】【課題】受信品質の低下が少ないハードクリップ型のピーク抑圧方法の利点を生かしながら、これに伴う帯域外不要波の発生を防止することにより、受信品質とＡＣＬＲとのバランスが良好なマルチキャリア信号のピーク抑圧方法を提供する。【解決手段】マルチキャリア信号送信装置を、マルチキャリア信号のピーク成分のハードクリップを行うハードクリップ抑圧部５と、ハードクリップ後の信号をフィルタリングするローパスフィルタ６と、フィルタリング後の信号のピーク部分を抑圧するピーク抑圧部７とを備えて構成し、このピーク抑圧部７に、フィルタリング後の信号のピーク部分を検出するピーク検出部１０と、ピーク部分のピークレベルに応じた振幅の窓関数を生成する窓関数生成部２０と、窓関数の値に応じてピーク部分を減衰するピーク減衰部３０と、を設ける。【選択図】図１
2007194825.tif 000002
【特許請求の範囲】
【請求項１】
複数の変調信号をそれぞれ帯域制限し、これらを合成したマルチキャリア信号を送信するマルチキャリア信号送信装置において、
前記マルチキャリア信号の前記ピーク成分のハードクリップを行うハードクリップ抑圧部と、
前記ハードクリップ抑圧部によるハードクリップ後の信号をフィルタリングするローパスフィルタと、
前記ローパスフィルタによるフィルタリング後の信号のピーク部分を抑圧するピーク抑圧部と、
を備え、該ピーク抑圧部が、
前記フィルタリング後の信号のピーク部分を検出するピーク検出部と、
前記ピーク部分のピークレベルに応じた振幅の窓関数を生成する窓関数生成部と、
前記窓関数の値に応じて前記ピーク部分を減衰するピーク減衰部と、
を備えることを特徴とするマルチキャリア信号送信装置。
【請求項２】
前記窓関数生成部は、検出された前記ピーク部分の時間幅に応じた時間幅の窓関数を生成することを特徴とする請求項１に記載のマルチキャリア信号送信装置。
【請求項３】
前記ピーク抑圧部が、前記窓関数を生成するための原窓関数について該原窓関数がとる値を保持する窓関数テーブルを、さらに備え、
前記窓関数生成部は、検出された前記ピーク部分のピークレベルに応じて前記テーブル内の窓関数の振幅を変更することにより窓関数を生成することを特徴とする請求項１に記載のマルチキャリア信号送信装置。
【請求項４】
前記窓関数生成部は、検出された前記ピーク部分の時間幅に応じて前記原窓関数の時間幅を変更することにより、前記窓関数を生成することを特徴とする請求項３に記載のマルチキャリア信号送信装置。
【請求項５】
前記窓関数テーブルは、対称性を有する窓関数の一部分を保持し、
前記窓関数生成部は、前記窓関数テーブルに保持された前記窓関数の一部分から、前記対称性に基づき前記窓関数の全体を生成することを特徴とする請求項３に記載のマルチキャリア信号送信装置。
【請求項６】
複数の変調信号をそれぞれ帯域制限し、これらを合成したマルチキャリア信号を送信するマルチキャリア信号送信方法において、
前記マルチキャリア信号の前記ピーク成分のハードクリップを行い、
ハードクリップ後の前記信号をローパスフィルタによってフィルタリングし、
フィルタリング後の前記信号のピーク部分を検出し、
前記ピーク部分のピークレベルに応じた振幅の窓関数を生成し、
前記窓関数の値に応じて前記ピーク部分を減衰して、
このピーク部分が減衰された信号を送信することを特徴とするマルチキャリア信号送信方法。
【請求項７】
前記窓関数の生成は、検出された前記ピーク部分の時間幅に応じた時間幅の窓関数を生成することを特徴とする請求項６に記載のマルチキャリア信号送信方法。
【請求項８】
さらに、前記窓関数を生成するための原窓関数について、該原窓関数がとる値を予め窓関数テーブルに保持しておき、
前記窓関数の生成は、検出された前記ピーク部分のピークレベルに応じて前記テーブル内の窓関数の振幅を変更することにより、窓関数を生成することを特徴とする請求項６に記載のマルチキャリア信号送信方法。
【請求項９】
前記窓関数の生成は、検出された前記ピーク部分の時間幅に応じて前記原窓関数の時間幅を変更することにより、前記窓関数を生成することを特徴とする請求項８に記載のマルチキャリア信号送信方法。
【請求項１０】
対称性を有する前記窓関数の一部分を、前記窓関数テーブルに保持し、
前記窓関数の生成は、前記窓関数テーブルに保持された前記窓関数の一部分から、前記対称性に基づき前記窓関数の全体を生成することを特徴とする請求項８に記載のマルチキャリア信号送信方法。
【発明の詳細な説明】
【技術分野】
【０００１】
本発明は、複数の変調信号を合成したマルチキャリア信号の送信装置に関し、より詳しくは、このようなマルチキャリア信号のピーク電力を抑圧してピーク電力対平均電力比ＰＡＰＲ（Peak-to-Average power Ratio）を改善する送信装置に関する。
【背景技術】
【０００２】
ディジタル無線通信方式において、帯域制限された複数のキャリア信号を合成して高周波搬送波にて送信するマルチキャリア変調方式が使用されている。図１７にマルチキャリア変調を行なう従来のディジタル無線送信装置の概略構成図を示す。
図示するように、送信装置１は、複数のディジタルベースバンド信号である複素信号１、複素信号２、〜複素信号ｎを、それぞれ帯域制限フィルタ４１ａ、４１ｂ、〜４１ｘによって帯域制限する。その後、正弦波発生器４２ａ、４２ｂ、〜４２ｘによって異なる周波数ｆａ、ｆｂ、〜ｆｘの複素正弦波ｅjωt（ω＝２πｆａ、２πｆｂ、〜２πｆｘ）を発生させ、それぞれの複素乗算器４３ａ、４３ｂ、〜４３ｘによって帯域制限後の各複素信号１、複素信号２、〜複素信号ｎにそれぞれ乗じることにより、上記の各周波数に周波数シフトする。
【０００３】
そして、帯域制限されかつ周波数シフトされた複素信号１〜複素信号ｎは、マルチキャリア合成部４４によって合成され、合成されたマルチキャリア信号は周波数変換部４６において無線周波数帯に周波数変換され、送信アンプ４５を介して所望の送信電力に増幅された後、図示しないアンテナ部より送信される。
【０００４】
現在使用されているディジタル無線通信方式では、送信端の送信アンプ４５において線形増幅することが求められるため、送信アンプ４５は入力電力と出力電力とがほぼ比例関係となる線形領域で使用される。
また、ディジタル無線通信方式では、帯域制限された複数のキャリア信号を合成し高周波搬送波にて送信するマルチキャリア変調方式が使用されているが、一般に無線送信の送信端において複数のキャリア信号を合成すると、合成されたマルチキャリア信号のピーク電力対平均電力比ＰＡＰＲが大きくなる。したがって、このようなマルチキャリア変調方式を採用する送信端の送信アンプ４５は、ピーク電力対平均電力比ＰＡＰＲが大きい入力信号についても線形領域で動作できるようにバックオフ電力を大きく設計する必要があり、アンプの効率が低下する。すなわち、同じ送信電力に対してより多くの消費電力を使用することとなる。
【０００５】
このようなピーク電力対平均電力比の増大を防止するために、従来から提案されているマルチキャリア信号のピーク成分を抑圧する方法を大きく分けると、以下の３種類が挙げられる。
第１のピーク抑圧方法は、マルチキャリア合成前に合成される複数の被変調信号を減衰させて、マルチキャリア信号のピーク抑圧を図る方法である（例えば下記特許文献１〜４）。例えば特許文献１では、複数の被変調信号から、これらが合成されたマルチキャリア信号をシミュレートしてそのピーク部分を検出し、複数の被変調信号のうち、検出したピーク部分に相当する部分を減衰させる。
【０００６】
また、第２のピーク抑圧方法は、マルチキャリア合成後のハードクリップ型のピーク抑圧方法であり、合成されたマルチキャリア信号のうち、振幅がある閾値を超えた部分をカットする抑圧方法である。
さらに、第３のピーク抑圧方法は、マルチキャリア合成後にフィルタを用いてマルチキャリア信号のピーク部分を抑圧する方法である。
【０００７】
その他、下記特許文献５には、入力信号の包絡線レベルと所定の閾値に基づき入力信号のピーク電圧を抑圧する目標値を決定し、包絡線レベルと目標値との積、及び包絡線の二乗値を、移動平均フィルタ又はＦＩＲフィルタに通した結果から、入力信号に対するゲインを算出する方法が開示されている。
また、下記特許文献６には、マルチキャリア信号に対して予め設定された振幅レベルに振幅制限を行なった後、その補間波形を生成して帯域制限を行なう方法が開示されている。
また、下記特許文献７には、マルチキャリア信号全体を均等に抑圧するとともに、ピーク電圧発生部分のみをクリッピングする抑圧方法も開示されている。
さらにまた、下記特許文献８には、マルチキャリア変調方式において、搬送波に逆フーリエ変換を施して基本関数を取得し、この基本関数を直交振幅信号のピーク位置にシフトさせた波形と、直交振幅信号のうち閾値を超えるピーク部分と、の積信号を直交振幅信号から差し引いてピーク部分を抑圧する方法が開示されている。
【０００８】
【特許文献１】特開２００２−３０５４８９号公報
【特許文献２】特開２００３−４６４８０号公報
【特許文献３】特開２００４−６４７１１号公報
【特許文献４】特開平１１−３１３０４２号公報
【特許文献５】特開２００４−１２８９２３号公報
【特許文献６】特開平７−３２１８６１号公報
【特許文献７】特開２００２−７７０９７号公報
【特許文献８】特開２００４−１３５０８７号公報
【特許文献９】特開２００３−２１８８２６号公報
【特許文献１０】特開２００３−３４８０４１号公報
【発明の開示】
【発明が解決しようとする課題】
【０００９】
上記従来の提案のうちの第２の方法であるハードクリップ型のピーク抑圧方法は、所定の閾値を超えた信号部分のみをカットするため、ピーク抑圧に起因する受信品質の低下が最小限に抑えられるという利点を有する。
その反面、ハードクリップによるピーク抑圧方法は、マルチキャリア信号内に高周波数成分に生じさせるため、帯域外不要波を増大させ隣接漏洩電力比（ＡＣＬＲ：Adjacent Channel Leakage power Ratio）を劣化させるという欠点を有する。
【００１０】
上記問題点に鑑み、受信品質の低下が少ないハードクリップ型のピーク抑圧方法の利点を生かしながら、これに伴う帯域外不要波の発生を防止することにより、受信品質とＡＣＬＲとのバランスが良好なマルチキャリア信号のピーク抑圧方法を提供する。
【課題を解決するための手段】
【００１１】
上記目的を達成するために、本発明では、複数の変調信号をそれぞれ帯域制限してこれらを合成したマルチキャリア信号のピーク成分のハードクリップを行った後に、ハードクリップ後の信号をローパスフィルタによってフィルタリングし、フィルタリング後の信号のピーク部分を、窓関数を用いたピーク抑圧により抑圧する。
ここで窓関数を用いたピーク抑圧は、フィルタリング後の信号のピーク部分を検出して、ピーク部分のピークレベルに応じた振幅の窓関数を生成した後に、この窓関数の値に応じてピーク部分を減衰することによって実現される。
【００１２】
本発明によるマルチキャリア信号のピーク部分の抑圧の基本的な動作は以下の通りである。
まず、合成された直後のマルチキャリア信号のピーク成分にハードクリップを行うことによってマルチキャリア信号のピーク部分をカットする。ピーク部分をカットすることにより、ハードクリップ後の信号ではピーク部分が抑圧されるが、一方で帯域外不要波が増大しＡＣＬＲが劣化する。
次に、ハードクリップ後の信号のローパスフィルタに通して帯域外不要波を除去することによって、この信号のＡＣＬＲの劣化をほぼ完全に抑制する。このようにハードクリップ方式によるピーク抑圧とローパスフィルタによる帯域外不要波の除去とが併用されることにより、受信品質の劣化が抑えられかつ帯域外不要波の発生が防止される。
【００１３】
しかし、ローパスフィルタを通過した後の信号は、元の信号波形がある程度復活して、一度ハードクリップによって抑圧されたピークが再生するので、ピーク電力対平均電力比ＰＡＰＲが大きくなっている。
そこで最後に、上述の窓関数を用いたピーク抑圧により、フィルタリング後の信号のピーク部分を抑圧することによりＰＡＰＲを低減させる。
この窓関数を用いたピーク抑圧では、例えば窓関数をｃｏｓ窓関数やｃｏｓ2窓関数、ｃｏｓ3窓関数、ｃｏｓ4窓関数、ハニング窓関数、ハミング窓関数、カイザー窓関数、ブラックマン・ハリス窓関数などを元にして生成し、この窓関数がとる各値に応じてフィルタリング後の信号の各信号値を減衰する。上記例示した関数は関数値がなだらかに時間変化することから、このような関数の値に応じて各時刻の信号値を減衰することによって、帯域外不要波を殆ど発生させないで（すなわちＡＣＬＲを劣化させないで）ピーク部分を抑圧することが可能である。
また、例えば抑圧量を示す窓関数の振幅を、フィルタリング後の信号のピーク部分のピークレベルに応じて決定してもよい。これにより不要に大きなピーク抑圧を行うことを避けることによって良好な受信品質を保つことが可能である。
【発明の効果】
【００１４】
本発明によるピーク抑圧方法のように、ハードクリップによるピーク抑圧、ローパスフィルタによるフィルタリング及び窓関数を用いたピーク抑圧を組み合わせることによって、受信品質とＡＣＬＲとのバランスが良好なマルチキャリア信号のピーク抑圧が可能となる。
【発明を実施するための最良の形態】
【００１５】
以下、添付する図面を参照して本発明の実施例を説明する。図１は、本発明によるマルチキャリア信号送信装置の第１実施例の概略構成図である。
図示するように、送信装置１は、複数のディジタルベースバンド信号である複素信号１、複素信号２、〜複素信号ｎを、それぞれ帯域制限フィルタ４１ａ、４１ｂ、〜４１ｘにおいてオーバーサンプリングした後に帯域制限を行なう。
その後、正弦波発生器４２ａ、４２ｂ、〜４２ｘによって異なる周波数ｆａ、ｆｂ、〜ｆｘの複素正弦波ｅjωt（ω＝２πｆａ、２πｆｂ、〜２πｆｘ）を発生させ、それぞれの複素乗算器４３ａ、４３ｂ、〜４３ｘにより各複素信号１、複素信号２、〜複素信号ｎにそれぞれ乗じることにより、上記の各周波数に周波数シフトする。
そして、上記各周波数に周波数シフトされかつ帯域制限された複素信号１〜複素信号ｎがマルチキャリア合成部４４によって合成され、マルチキャリア信号が生成される。
【００１６】
合成されたマルチキャリア信号は、その後、後述のハードクリップ抑圧部５、ローパスフィルタ６及び後述のピーク抑圧部７に、順次入力されてそのピーク成分が抑圧される。そしてピーク成分が抑圧された後のマルチキャリア信号は、周波数変換部４６において無線周波数帯に周波数変換され、送信アンプ４５を介して所望の送信電力に増幅された後、図示しないアンテナ部より送信される。
【００１７】
図２は、図１に示すハードクリップ抑圧部５の構成例の概略構成図である。図示するとおり、ハードクリップ抑圧部５は、マルチキャリア信号の信号レベルを検出するレベル検出部５４と、マルチキャリア信号の信号レベルと所定の閾値レベルＬＴ２とを比較して、その比較結果を出力する比較部５５と、マルチキャリア信号の信号レベルの逆数を算出する逆数算出部５６と、マルチキャリア信号の信号レベルの逆数と前記閾値ＬＴ２とを乗算して（ＬＴ２／信号レベル）を算出する乗算器５７と、比較部５５の比較結果に基づき、マルチキャリア信号の信号レベルが閾値ＬＴ２を超えるときには（ＬＴ２／信号レベル）の値を、そうでないときは定数１をそれぞれ選択する選択部５８と、を備えている。選択部５８の出力信号は乗算器５２によってマルチキャリア信号に乗算される。
【００１８】
上記構成によって、マルチキャリア信号の信号レベルが閾値ＬＴ２を超えるときには（ＬＴ２／信号レベル）の値が、そうでないときは定数１（等倍）が、マルチキャリア信号に乗算され、その結果、マルチキャリア信号のうち閾値ＬＴ２のレベルを超える信号部分のみが閾値ＬＴ２に抑圧され、ハードクリッピングが実行される。
なお、乗算器５２の入力には、レベル検出部５４〜選択部５８の処理の間マルチキャリア信号を遅延させるための遅延器５３が設けられる。
【００１９】
図３の（Ａ）及び図３の（Ｂ）を参照して、ハードクリップによるピーク抑圧及びローパスフィルタ７によるフィルタリングに伴う信号波形の変化を説明する。
図３の（Ａ）は図１に示すマルチキャリア信号送信装置１の各位置Ａ、Ｂ、Ｃ及びＤにおけるマルチキャリア信号の時間変化を示す図であり、図３の（Ｂ）は図３の（Ａ）の各信号の周波数スペクトルを示す図である。ここで図３の（Ａ）及び図３の（Ｂ）において実線で表されるＡの位置の信号はピーク抑圧前の信号を示す。破線で表されるＢの位置の信号はハードクリップによるピーク抑圧後の信号を示す。一点鎖線で表されるＣの位置の信号はローパスフィルタ６によるフィルタリング後の信号を示す。二点鎖線で表されるＤの位置の信号はピーク抑圧部７による窓関数を用いたピーク抑圧後の信号を示す。
【００２０】
図３の（Ａ）の実線Ａ及び破線Ｂから分かるように、合成された直後のマルチキャリア信号（実線Ａ）が大きな振幅を持っているが、ハードクリップ抑圧部５によりハードクリップが行われた後は、元の波形のうち信号値が所定の閾値ＬＴ２よりも大きくなるピーク部分がカットされた信号（破線Ｂ）となる。
このため、図３の（Ｂ）の実線Ａ及び破線Ｂから分かるように、ハードクリップ後の信号（破線Ｂ）では、高周波数成分（帯域外不要波）が増大する。このことはＡＣＬＲの劣化を意味する。
【００２１】
ハードクリップ後の信号をローパスフィルタ７に通すことによって、信号波形は図３の（Ａ）の一点鎖線Ｃに示すように、ある程度元のマルチキャリア信号Ａの波形に復活する。また図３の（Ｃ）の一点鎖線Ｃに示すスペクトル強度も、高周波数成分（帯域外不要波）が完全に除去され、ＡＣＬＲが大幅に改善する。
一方で、ローパスフィルタ７を通過した信号は、図３の（Ａ）に示すように、前段のハードクリップ抑圧部５で抑圧したピークが再生し、ピーク電力対平均電力比ＰＡＰＲが再び大きくなっている。
【００２２】
そこで、以下説明するピーク抑圧部７をローパスフィルタ７の後段に設け、ローパスフィルタ７を通過した後の信号で再生したピーク部分を抑圧して、ＰＡＰＲを向上させる。
図４は、図１に示すピーク抑圧部７の第１構成例の概略構成図である。図示するとおりピーク抑圧部７は、ピーク検出部１０と、窓関数生成部２０と、ピーク減衰部３０とを備えて構成される。
ピーク検出部１０は、ローパスフィルタ７によるフィルタリング後の信号（以下、「フィルタリング後の信号」と記す）に現われる、所定の閾値レベルＬＴを超えるピークを有するピーク部分のピークレベルを検出し、これらを窓関数生成部２０に出力する。
窓関数生成部２０は、検出されたピーク部分のピークレベルに応じた振幅の窓関数を生成する。
ピーク減衰部３０は、各時刻におけるピーク部分のそれぞれの値を、窓関数生成部２０が生成した窓関数のそれぞれの時刻の値に応じて減衰する。例えばピーク減衰部３０は、各時刻におけるピーク部分のそれぞれの値に、窓関数の前記各時刻における値を乗じることによってピーク部分を減衰する。
【００２３】
図５は、図４に示す窓関数生成部２０が生成する窓関数の例を示す図である。
図５に示すとおり、窓関数は、有限のサンプル数幅Ｎｗ０の間に定められたマルチキャリア信号に対する各サンプル（時刻）における減衰量（減衰係数）を示す関数である。図示の例の窓関数は、次式（１）、
【００２４】
（１−ａ）×（１＋ｃｏｓθ）／２  ＋  ａ      （０≦θ≦２π／Ｎｗ０）  （１）
【００２５】
によって表わされるｃｏｓ窓関数である。ここにａの値を、Ｎｗ０／２番目のサンプルにおいて最大の減衰幅１［ｄＢ］で減衰することとすれば、ａ＝０．８９１と設定すればよい。
窓関数生成部２０が生成した窓関数は、ピーク減衰部３０によって、フィルタリング後の信号に乗算される。ピーク減衰部３０はそのための乗算器３１を備える。また、ピーク減衰部３０は、検出されたピーク部分のピーク位置の中心と窓関数の中心とを合わせて、入力信号であるフィルタリング後の信号と窓関数とを乗算するように、入力信号を、
【００２６】
（Ｎｗ０／２）×ΔＴｓ＋Ｔｄ０    （２）
【００２７】
だけ遅延させる遅延器３２を備える。ここにΔＴｓはマルチキャリア信号のサンプリング時間を示し、Ｔｄ０はピーク検出部１０及び窓関数生成部２０における処理に要する遅れ時間である。
【００２８】
図６の（Ａ）は図４に例示するピーク抑圧部７によるピーク抑圧前の信号を示す図であり、図６の（Ｂ）は図６の（Ａ）の信号のピーク部分に乗ぜられる窓関数を示す図であり、図６の（Ｃ）は図６の（Ａ）の信号に図６の（Ｂ）の窓関数を乗じた結果生じる信号を示す図である。
図６の（Ａ）に示すとおり、フィルタリング後の信号は、ｎ１番目のサンプル及びｎ２番目のサンプルにおいて所定のレベル閾値ＬＴ１を超えるピーク値となる、ピーク部分Ｐ１及びＰ２をそれぞれ有していたとする。図４のピーク検出部１０は、これらピーク部分Ｐ１及びＰ２を検出する。
そして窓関数生成部２０は、これらピーク部分Ｐ１及びＰ２のピークレベルＬ１及びＬ２と閾値レベルＬＴ１との比にそれぞれに比例した振幅Ａ１及びＡ２を有する窓関数ｗ１及びｗ２を生成する。生成した窓関数ｗ１及びｗ２をそれぞれ図６の（Ｂ）に示す。
【００２９】
さらにピーク減衰部３０の乗算器３１は、フィルタリング後の信号のこれらピーク部分Ｐ１及びＰ２に窓関数ｗ１及びｗ２をそれぞれ乗ずる。このときマルチキャリア信号は、遅延器３２により（Ｎｗ０／２）×ΔＴｓ＋Ｔｄ０だけ遅延されているので、窓関数ｗ１及びｗ２は、ピーク部分Ｐ１及びＰ２のそれぞれのピーク位置を中心に乗ぜられる。
以上により、窓関数の振幅を適切に設定すれば、図６の（Ｃ）に示すようにフィルタリング後の信号のピークレベルを所定のレベル閾値ＬＴ１以下に抑圧することができる。
【００３０】
このとき、窓関数の時間幅や振幅を小さく設定すれば、フィルタリング後の信号の抑圧量が少なくなり受信品質が向上するが、反対にＰＡＰＲの改善効果が少ない。反対に窓関数の時間幅や振幅を大きく設定すると、ＰＡＰＲの大幅な改善が見込める反面、受信品質が劣化する。したがって、抑圧量を示すこれら時間幅及び振幅を、フィルタリング後の信号のピーク部分のピークレベルに応じて定め、不要に大きなピーク抑圧を行うことを避けることによって、良好な受信品質を保つことが可能である。
【００３１】
また、窓関数としてｃｏｓ窓関数やｃｏｓ2窓関数、ｃｏｓ3窓関数、ｃｏｓ4窓関数、ハニング窓関数、ハミング窓関数、カイザー窓関数、ブラックマン・ハリス窓関数などのような、時間変化がなだらかな関数を選択し、このような関数の値に応じて各時刻の信号値を減衰することによって、帯域外不要波を殆ど発生させることなく（ＡＣＬＲを劣化させることなく）、フィルタリング後に再生されたピーク部分を抑圧することが可能である。
【００３２】
以上のピーク抑圧部７の機能によって、ローパスフィルタ７通過後の信号において再生されたピーク部分が抑圧される。図３の（Ａ）および（Ｂ）の二点鎖線Ｄは、時間幅や振幅を好適が設定されたｃｏｓ窓関数を使用してピーク抑圧を行った後の信号波形及び周波数スペクトルを示す。
図３の（Ａ）を参照すると、一点鎖線Ｃで示されるフィルタリング後の信号において再生されたピーク部分が、ピーク抑圧部７によって二点鎖線Ｄに示すように再び抑圧されることが分かる。また、図３の（Ｂ）を参照すると、ピーク抑圧部７によるピーク抑圧は、帯域外不要波を殆ど発生させずＡＣＬＲを劣化させないことも分かる。
【００３３】
なお、上記の例では、窓関数生成部２０は、ピーク部分のピークレベルと閾値レベルＬＴ１との差分に比例した振幅を有する窓関数を生成することとしたが、これに限らずピーク部分のピークレベルに比例した振幅を有する窓関数を生成するようにしてもよい。または窓関数生成部２０は、ピーク部分のピークレベルと閾値レベルＬＴ１との比に対して単調増加関係を有する振幅の窓関数を生成することとしてもよいし、あるいは、ピーク部分のピークレベルに対して単調増加関係を有する振幅の窓関数を生成することとしてもよい。
【００３４】
また、ピーク減衰部３０では、乗算器３１によってマルチキャリア信号に窓関数を乗ずることによりピーク部分を減衰することとしたが、マルチキャリア信号の減衰手段はこれに限られるものではなく、窓関数の値に応じてマルチキャリア信号を減衰する手段であれば他のいかなる手段でも使用することが可能である。
【００３５】
図７は、図１に示すピーク抑圧部７の第２構成例の概略構成図である。図７に示す構成図では、図４に示すピーク抑圧部７のうちピーク検出部１０の構成がさらに詳しく示される。
ピーク検出部１０は、入力信号のレベルを検出するレベル検出部１１と、検出されたレベルと所定の閾値レベルＬＴ１とを比較する比較部１２と、検出された入力信号のレベルが閾値レベルＬＴ１以上となる場合に、入力信号のピーク部分の信号のピーク位置を検出するピーク位置検出部１３と、を備えている。
【００３６】
そしてピーク位置が検出された時点で、窓関数生成部２０は検出レベルに応じて振幅を決定し、このピーク位置を中心とするタイミングを合わせて窓関数を発生させる。そして各時刻毎に、それぞれの時刻における入力信号の値と窓関数の値とを乗算器３１によって掛け合わせる。この様子を図８を参照して示す。
図８の（Ａ）は図７に例示するピーク抑圧部７によるピーク抑圧前の入力信号を示す図であり、図８の（Ｂ）は遅延器３２で遅延した後の図８の（Ａ）の信号を示す図である。図示するように、遅延器３２はマルチキャリア信号を所定時間Ｔｄ１だけ遅らせるように設定される。また、図８の（Ｃ）は、図８の（Ｂ）の信号に対して乗ぜられる窓関数を示す図である。
【００３７】
レベル検出部１１及び比較部１２がピーク部分Ｐ１を検出し、ピーク位置検出部１３がピーク部分Ｐ１のピーク位置を第ｎ１番目のサンプルと決定したとすると、図８の（Ｂ）及び（Ｃ）に示すとおり、窓関数生成部２０は窓関数を第（ｎ１＋（Ｔｄ１／ΔＴｓ））番目のサンプルの時刻を中心に発生させる。したがって生成させる窓関数の幅をＮｗ０とする場合には、窓関数生成部２０は、第ｎ１番目のサンプルのサンプル検出後、（Ｔｄ１−（Ｎｗ０／２×ΔＴｓ））だけ時間が経過した後に、窓関数の生成を開始する。
【００３８】
図９は、図１に示すピーク抑圧部７の第３構成例の概略構成図である。本構成例では、ピーク検出部１０に時間幅検出部１４を備える。時間幅検出部１４は、検出された入力信号のレベルが閾値レベルＬＴ１以上である場合に、入力信号のピーク部分の時間幅を検出する。ピーク部分の時間幅は、入力信号のレベルが閾値レベルＬＴ１以上となる時間幅として定めてもよく、または他の適切な閾値レベル以上となる時間幅として定めてもよく、あるいはピーク部分の半値幅を検出して定めてもよい。
【００３９】
窓関数生成部２０は、検出レベルに応じて振幅を決定し、このピーク位置を中心とするタイミングを合わせて窓関数を発生させるが、このとき生成する窓関数の時間幅を、当該ピーク部分について時間幅検出部１４が検出した時間幅に比例して変更する。図１０の（Ａ）〜図１０の（Ｃ）を参照して、窓関数の時間幅制御の例を説明する。
例えば図１０の（Ａ）に示すように、入力信号のピーク部Ｐ１がピークレベルＬ１及び時間幅Ｐｗ１を有し、ピーク部Ｐ２がピークレベルＬ２及び時間幅Ｐｗ２を有していたとする（この例では、時間幅は閾値レベルＬＴ１を超えている時間幅で示している）。
【００４０】
窓関数生成部２０は、ピーク部分Ｐ１に適用する窓関数ｗ１の振幅を、検出されたピークレベルＬ１に応じて振幅Ａ１と決定し、またその時間幅を、検出された時間幅Ｐｗ１に応じて振幅Ｎｗ１と決定する。また、ピーク部Ｐ２に適用する窓関数ｗ２の振幅を、検出されたピークレベルＬ２に応じて振幅Ａ２と決定し、またその時間幅を、検出された時間幅Ｐｗ２に応じて振幅Ｎｗ２と決定する。
このように窓関数の振幅、幅などをピーク部の大きさに応じて算出することで、より柔軟なピーク抑圧を実現することが可能となり、最適に受信品質、ＡＣＬＲ及びＰＡＰＲのバランスをとることが可能となる。
【００４１】
なお、上記の例において窓関数生成部２０は、窓関数の時間幅を、ピーク部分の時間幅に比例して変更することとしたがこれに限定されるものではなく、窓関数生成部２０は、ピーク部分の時間幅と窓関数の時間幅とが、単に単調増加関係を有するように窓関数の時間幅を変更するようにしてもよい。また窓関数生成部２０は、窓関数の時間幅を、当該ピーク部分のピークレベル値と時間幅との比に応じて変更することとしてもよい。
【００４２】
上記第１〜３構成例では、窓関数生成部２０は、上式（１）に示すような所定の算出式に各サンプリング時刻を代入して各時刻における窓関数の値を定めることとしてよい。このように窓関数生成部２０が、所定の算出式によって窓関数の種類、形状、幅などを自由に算出可能としたことで、受信品質とＡＣＬＲのバランスを動的に変更することができる。
また一方で、窓関数生成部２０は、窓関数を生成するため基本となる原窓関数について、この原窓関数がとる値を窓関数テーブルに予め保持しておき、このテーブルの値を用いて窓関数の値を定めてもよい。これにより窓関数を生成するための複雑な関数演算を省くことが可能となるため、ハードウエア化が容易となる。
このような窓関数テーブルにより窓関数を生成する構成を図１１に示す。
【００４３】
図１１は、図１に示すピーク抑圧部７の第４構成例の概略構成図である。本構成例において窓関数生成部２０は、ＲＯＭやＲＡＭ等の記憶手段に上記原窓関数を保持して実現される窓関数テーブル２１と、窓関数テーブル２１に保持される関数値に、レベル検出部１１が検出したピーク部のピークレベルを乗算するための乗算器２２と、を備える。
ここに原窓関数とは、マルチキャリア信号の減衰に使用される実際の窓関数を生成するために窓関数生成部２０が使用する、実際の窓関数の元となる関数であって、例えば、実際の窓関数の形状的特徴を含む関数であり、特にこのような原窓関数を時間軸方向（サンプル軸方向、横軸方向）及び／又は減衰係数方向（縦軸方向）にスケーリングする、すなわち、原窓関数の振幅を変更する及び／又は時間幅（サンプル幅）を変更することにより、実際の窓関数を生成することが可能な関数をいう。
下記表１に窓関数テーブル２１の内容を例示する。
【００４４】
【表１】
2007194825.tif 000003
【００４５】
上記例の窓関数テーブルは、図５に示した窓関数に対応する窓関数テーブルであり、ここにａ＝０．８９１とし、またサンプル数Ｎｗ０を３０個として計算した。
表１に示すように窓関数テーブル２１には、一つ又は複数の所定の原窓関数について、上式（１）のような算出式（原窓関数に応じて定められる）によって予め算出された、各時刻（サンプル番号）における関数値が保持されている。
【００４６】
窓関数生成部２０は、ピーク位置検出部１３が検出するピーク位置が窓関数の中心となるように、タイミングを合わせて窓関数テーブル２１に保持される原窓関数の各値を順次読み出していく。そしてこの読み出した関数値に、レベル検出部１１が検出した当該ピーク部分のピークレベルを乗算するなどにより、このピークレベルに応じてテーブル２１内の窓関数の振幅を変更して窓関数を生成する。
【００４７】
フィルタリング後の信号のピーク部に適用する上記窓関数として、対称性を有する窓関数を採用する場合には、窓関数テーブル２１には原窓関数の一部分のみを保持し、窓関数生成部２０において、窓関数テーブルに保持された原窓関数の一部から、この対称性に基づいて窓関数の全体を生成することとしてもよい。
このように、原窓関数の一部分のみを保持することにより窓関数テーブル２１の記憶容量を節約することが可能となる。また、関数の対称性に基づいて原窓関数の一部から窓関数の全体を生成する演算は非常に簡単であるので、上記本構成例の利点を損なうこともない。
【００４８】
図１２は、図１に示すピーク抑圧部７の第５構成例の概略構成図である。本構成例では、窓関数テーブルに原窓関数の一部分のみを保持し残りは対称性に基づいて生成する。窓関数生成部２０は、原窓関数の一部分のみを保持する窓関数テーブル２１と、窓関数テーブル２１に保持された原窓関数から、原窓関数の対称性に基づく簡単な演算により窓関数の全体を生成するための窓関数演算部２４と、を備える。
ここに、窓関数生成部２０が生成する窓関数として、予め対称性を有する窓関数が採用されている。図６を参照して既に説明した窓関数も対称性を有するので、これを例として原窓関数の一部分のみを保持する窓関数テーブル２１について説明する。
【００４９】
図１３の（Ａ）は窓関数の対称性に基づいて窓関数全体の１／２の部分から窓関数全体を生成する場合であり、図１３の（Ｂ）は窓関数の対称性に基づいて窓関数全体の１／４の部分から窓関数全体を生成する場合である。
図１３の（Ａ）に示すとおり、図５に示した窓関数はサンプル番号（時刻）＝Ｎｗ０／２を対称線とする線対称性を有している。したがって、原窓関数のうちサンプル番号０〜Ｎｗ０／２までの半分（図１３の（Ａ）において実線で示す）のみを窓関数テーブル２１に保持することとする。そして残りの部分（図１３の（Ａ）において破線で示す）の原窓関数を生成する際には、原窓関数テーブル２１を反対の順序で読み出すことで、残り部分の原窓関数をも生成することが可能である。これによりテーブル容量を約半分に節減することが可能となる。
【００５０】
さらに図１３の（Ｂ）から明らかなように、原窓関数のうちサンプル番号０〜Ｎｗ０／２までの半分部分もまた、サンプル番号（時刻）＝Ｎｗ０／４、及び減衰係数＝（１＋ａ）／２となる点を対称点として点対称性を有している。
そこで、原窓関数のうちサンプル番号０〜Ｎｗ０／４までの半分（図１３の（Ｂ）において実線で示す）のみを原窓関数テーブル２１に保持することとする。そして残りの部分の原窓関数を生成する際には、窓関数テーブル２１の読み出し順序を変え、かつ読み出した関数値に簡単な線形演算を施すことにより、残り部分の窓関数をも生成することが可能となる。
あるいは、正逆に順序を変えて窓関数テーブル２１を読み出し、このように読み出した関数値を定数に加減算することにより残り部分の窓関数をも生成することが可能である。これによりテーブル容量を約４分の１に節減することが可能となる。
【００５１】
例えば図１３の（Ｂ）に示す例では、図５に示した窓関数に対応する窓関数のうち範囲Ｒ１（０≦ｎ≦Ｎｗ０／４：ｎはサンプル番号）において定義された部分のみを、窓関数テーブル２１に保持しておく。
そして、範囲Ｒ２（Ｎｗ０／４≦ｎ≦Ｎｗ０／２）の部分の原窓関数を生成する場合には、窓関数テーブル２１から逆の順序で読み出した関数値を定数（１＋ａ）から差し引いた値を関数値として演算する。また、範囲Ｒ３（Ｎｗ０／２≦ｎ≦３Ｎｗ０／４）の部分の原窓関数を生成する場合には、窓関数テーブル２１から正の順序で読み出した関数値を定数（１＋ａ）から差し引いた値を関数値として演算する。さらに、範囲Ｒ４（３Ｎｗ０／４≦ｎ≦Ｎｗ０）の部分の原窓関数を生成する場合には、窓関数テーブル２１から逆の順序で読み出した値を関数値として使用する。
【００５２】
窓関数演算部２４は、このように窓関数テーブル２１に保持された原窓関数の一部分を読み出し、原窓関数の対称性に基づいて、読み出し順序を変えながら窓関数テーブル２１の簡単な線形演算により原窓関数の全体を演算することが可能である。
そして窓関数演算部２４は、レベル検出部１１が検出した検出レベルに応じて原窓関数の振幅を変更し、時間幅検出部１４が検出したピーク部の時間幅に応じて原窓関数の時間幅を変更する。
そして窓関数演算部２４は、ピーク位置検出部１３によって検出されたピーク位置にしたがって、窓関数の中心の値が入力信号のピーク値に乗じられるように、タイミングを合わせて窓関数を発生させる。
【００５３】
図１４は、図１に示すピーク抑圧部７の第６構成例の概略構成図である。本構成例では、入力信号の異なる時間（サンプルの位置）に現われた複数のピーク部分に対して生成した窓関数を重畳して、入力信号に乗ずることが可能である。
このために窓関数生成部２０は、窓関数テーブル２１と、複数の窓関数演算部２４ａ、２４ｂ、〜２４ｙと、これら窓関数演算部２４ａ〜２４ｙを制御する窓関数制御部２５と、を備えている。
また、ピーク減衰部３０は、複数の窓関数演算部２４ａ、２４ｂ、〜２４ｙが発生した窓関数をマルチキャリア信号にそれぞれ乗ずるための乗算器３１ａ、３１ｂ、〜３１ｙと、遅延器３２ａ、３２ｂ、〜３２ｙと、を備えている。
【００５４】
図１５の（Ａ）〜（Ｃ）を参照して、図１４に示すピーク抑圧部７の動作を説明する。  図１５の（Ａ）は、ピーク抑圧部７によるピーク抑圧前の入力信号を示す図であり、図１５の（Ｂ）は（Ａ）の信号の各ピーク部分にそれぞれ乗ぜられる窓関数を示す図であり、図１５の（Ｃ）は（Ａ）の信号に（Ｂ）の窓関数をそれぞれ乗じた結果生じる信号を示す図である。
図１５の（Ａ）に示すとおり、入力信号には複数のピーク部分Ｐ１〜Ｐ４が現われており、各ピーク部分Ｐ１〜Ｐ４にそれぞれ対応して各窓関数ｗ１〜ｗ４を生成したとする。ここで、窓関数がとりうる最大時間幅より短い間隔で各ピーク部が現われるとすれば、各窓関数ｗ１〜ｗ４は、例えば図１５の（Ｂ）に示すとおり重なって発生する状態が生じうる。図示する例では、窓関数ｗ１とｗ２、ｗ２とｗ３、ｗ３とｗ４の各裾野のそれぞれ部分が重なっている。
【００５５】
本構成例に係るピーク抑圧部７では、このように時間的に重なって発生する個々の窓関数を、異なる窓関数演算部２４ａ〜２４ｙによって生成し、これらをそれぞれ乗算器３１ａ〜３１ｙによって入力信号に乗ずる。
例えば、図１５の（Ａ）の入力信号のピーク部分Ｐ１〜Ｐ４を抑圧する場合には、まず、ピーク検出部１０がサンプルｎ１においてピーク部分Ｐ１を検出すると、窓関数制御部２５は、１番目の窓関数演算部２４ａにサンプルｎ１を中心とする位置に窓関数ｗ１を生成させる。窓関数制御部２５は、窓関数演算部２４ａが窓関数を生成している間、窓関数演算部２４ａが窓関数を生成中であることを記憶している。
【００５６】
次に、ピーク検出部１０がサンプルｎ２においてピーク部分Ｐ２を検出すると、窓関数制御部２５は、窓関数演算部２４ａが窓関数を生成しているため、２番目の窓関数演算部２４ｂにサンプルｎ２を中心とする位置に窓関数ｗ２を生成させる。窓関数制御部２５は、窓関数演算部２４ｂが窓関数を生成している間、窓関数演算部２４ｂが窓関数を生成中であることを記憶している。
【００５７】
そして、窓関数演算部２４ａが窓関数の生成を終了すると、窓関数演算部２４ａは窓関数を生成中である旨の記憶をクリアする。
その後、ピーク検出部１０がサンプルｎ３においてピーク部分Ｐ３を検出すると、窓関数制御部２５は、再び１番目の窓関数演算部２４ａにサンプルｎ２を中心とする位置に窓関数ｗ３を生成させる。
このように複数の窓関数演算部２４ａ〜２４ｙを備えることにより、ピーク抑圧部７は、入力信号の複数のピーク部分について生成された各窓関数の、ある時刻におけるそれぞれの関数値を重畳し、この重畳した値に応じてこの時刻におけるマルチキャリア信号の信号レベルを減衰することが可能となる。これにより、短い間隔で現われるピーク部分全てについて窓関数を適用することが可能となる。
【００５８】
図１６は、本発明によるマルチキャリア信号送信装置の第２実施例の概略構成図である。本実施例では、上記のハードクリップ、ローパスフィルタ及び窓関数によるピーク抑圧と、マルチキャリア合成前のピーク抑圧と、を合わせて行なう。
すなわち本実施例に係る送信装置１は、上記説明したハードクリップ抑圧部５、ローパスフィルタ６及びピーク抑圧手段６に加え、ディジタル信号である複素信号１〜複素信号ｎに基づいてこれらを帯域制限した後に合成した場合に生じるマルチキャリア信号をシミュレートしてそのピーク部分を決定し、複素信号１〜複素信号ｎの、決定されたピーク部分に対応する各区間に適用すべき各抑圧係数（減衰係数）をそれぞれ演算する合成前抑圧係数演算部６１と、合成前抑圧係数演算部６１により演算された各複素信号１〜ｎに対する各抑圧係数を、それぞれ複素信号１〜複素信号ｎに乗算するための乗算器６２ａ、６２ｂ、〜６２ｘと、合成前抑圧係数演算部６１の処理時間だけ複素信号１〜複素信号ｎを遅延させる遅延器６３ａ、６３ｂ、〜６３ｘと、を備える。
【００５９】
マルチキャリア合成前のピーク抑圧は、帯域制限フィルタ４１ａ、４１ｂ、〜４１ｘの前にピーク抑圧をかけるためＡＣＬＲの劣化がないという利点を有するが、一方ではピーク抑圧により欠落する情報量が大きいため受信品質の劣化が大きいという短所を有する。
本実施例では、ＡＣＬＲの劣化が少ないマルチキャリア合成前のピーク抑圧と、受信品質の劣化が少ないハードクリップを併用することにより、受信品質とＡＣＬＲとのバランスを良好に制御することが可能となる。
【００６０】
以上、本発明を特にその好ましい実施の形態を参照して詳細に説明したが、本発明の容易な理解のために、本発明の具体的な形態を以下に付記する。
【００６１】
（付記１）
複数の変調信号をそれぞれ帯域制限し、これらを合成したマルチキャリア信号を送信するマルチキャリア信号送信装置において、
前記マルチキャリア信号の前記ピーク成分のハードクリップを行うハードクリップ抑圧部と、
前記ハードクリップ抑圧部によるハードクリップ後の信号をフィルタリングするローパスフィルタと、
前記ローパスフィルタによるフィルタリング後の信号のピーク部分を抑圧するピーク抑圧部と、
を備え、該ピーク抑圧部が、
前記フィルタリング後の信号のピーク部分を検出するピーク検出部と、
前記ピーク部分のピークレベルに応じた振幅の窓関数を生成する窓関数生成部と、
前記窓関数の値に応じて前記ピーク部分を減衰するピーク減衰部と、
を備えることを特徴とするマルチキャリア信号送信装置。（１）
【００６２】
（付記２）
前記窓関数生成部は、検出された前記ピーク部分の時間幅に応じた時間幅の窓関数を生成することを特徴とする付記１に記載のマルチキャリア信号送信装置。（２）
【００６３】
（付記３）
前記ピーク抑圧部が、前記窓関数を生成するための原窓関数について該原窓関数がとる値を保持する窓関数テーブルを、さらに備え、
前記窓関数生成部は、検出された前記ピーク部分のピークレベルに応じて前記テーブル内の窓関数の振幅を変更することにより窓関数を生成することを特徴とする付記１に記載のマルチキャリア信号送信装置。（３）
【００６４】
（付記４）
前記窓関数生成部は、検出された前記ピーク部分の時間幅に応じて前記原窓関数の時間幅を変更することにより、前記窓関数を生成することを特徴とする付記３に記載のマルチキャリア信号送信装置。（４）
【００６５】
（付記５）
前記窓関数テーブルは、対称性を有する窓関数の一部分を保持し、
前記窓関数生成部は、前記窓関数テーブルに保持された前記窓関数の一部分から、前記対称性に基づき前記窓関数の全体を生成することを特徴とする付記３に記載のマルチキャリア信号送信装置。（５）
【００６６】
（付記６）
前記ピーク減衰部は、前記フィルタリング後の信号に含まれる複数のピーク部分に対して、生成された前記窓関数の、ある時刻におけるそれぞれの関数値を重畳し、この重畳した値に応じて前記時刻における前記フィルタリング後の信号の信号レベルを減衰することを特徴とする付記１に記載のマルチキャリア信号送信装置。
【００６７】
（付記７）
前記窓関数は、ｃｏｓ窓関数、ｃｏｓ2窓関数、ｃｏｓ3窓関数、ｃｏｓ4窓関数、ハニング窓関数、ハミング窓関数、カイザー窓関数、ブラックマン・ハリス窓関数のいずれかであることを特徴とする付記１に記載のマルチキャリア信号送信装置。
【００６８】
（付記８）
前記複数の変調信号に基づいて、これらを合成した場合のマルチキャリア信号のピーク部分を決定するピーク部分決定部と
前記複数の変調信号のそれぞれに対して、決定された前記ピーク部分に対応する部分の信号レベルを減衰する変調信号減衰部と、
を、さらに備えることを特徴とする付記１に記載のマルチキャリア信号送信装置。
【００６９】
（付記９）
複数の変調信号をそれぞれ帯域制限し、これらを合成したマルチキャリア信号を送信するマルチキャリア信号送信方法において、
前記マルチキャリア信号の前記ピーク成分のハードクリップを行い、
ハードクリップ後の前記信号をローパスフィルタによってフィルタリングし、
フィルタリング後の前記信号のピーク部分を検出し、
前記ピーク部分のピークレベルに応じた振幅の窓関数を生成し、
前記窓関数の値に応じて前記ピーク部分を減衰して、
このピーク部分が減衰された信号を送信することを特徴とするマルチキャリア信号送信方法。（６）
【００７０】
（付記１０）
前記窓関数の生成は、検出された前記ピーク部分の時間幅に応じた時間幅の窓関数を生成することを特徴とする付記９に記載のマルチキャリア信号送信方法。（７）
【００７１】
（付記１１）
さらに、前記窓関数を生成するための原窓関数について、該原窓関数がとる値を予め窓関数テーブルに保持しておき、
前記窓関数の生成は、検出された前記ピーク部分のピークレベルに応じて前記テーブル内の窓関数の振幅を変更することにより、窓関数を生成することを特徴とする付記９に記載のマルチキャリア信号送信方法。（８）
【００７２】
（付記１２）
前記窓関数の生成は、検出された前記ピーク部分の時間幅に応じて前記原窓関数の時間幅を変更することにより、前記窓関数を生成することを特徴とする付記１１に記載のマルチキャリア信号送信方法。（９）
【００７３】
（付記１３）
対称性を有する前記窓関数の一部分を、前記窓関数テーブルに保持し、
前記窓関数の生成は、前記窓関数テーブルに保持された前記窓関数の一部分から、前記対称性に基づき前記窓関数の全体を生成することを特徴とする付記１１に記載のマルチキャリア信号送信方法。（１０）
【００７４】
（付記１４）
前記ピーク部分の減衰は、前記フィルタリング後の信号の複数のピーク部分に対して、生成された前記窓関数の、ある時刻におけるそれぞれの関数値を重畳し、この重畳した値に応じて前記時刻における前記フィルタリング後の信号の信号レベルを減衰することを特徴とする付記９に記載のマルチキャリア信号送信方法。
【００７５】
（付記１５）
前記窓関数は、ｃｏｓ窓関数、ｃｏｓ2窓関数、ｃｏｓ3窓関数、ｃｏｓ4窓関数、ハニング窓関数、ハミング窓関数、カイザー窓関数、ブラックマン・ハリス窓関数のいずれかであることを特徴とする付記９に記載のマルチキャリア信号送信方法。
【００７６】
（付記１６）
さらに、前記複数の変調信号に基づいて、これらを合成した場合のマルチキャリア信号のピーク部分を決定し、
前記複数の変調信号のそれぞれに対して、決定された前記ピーク部分に対応する部分の信号レベルを減衰する、
ことを特徴とする付記９に記載のマルチキャリア信号送信方法。
【産業上の利用可能性】
【００７７】
本発明は、複数の変調信号を合成した信号の送受信装置、送受信方法及び通信システムに広く適用可能であるが、特にマルチキャリア信号を利用して高速なパケット伝送を行なうＣＤＭＡ通信方式（Ｗ−ＣＤＭＡ方式を含む）に好適に適用可能である。
【図面の簡単な説明】
【００７８】
【図１】本発明によるマルチキャリア信号送信装置の第１実施例の概略構成図である。
【図２】図１に示すハードクリップ抑圧部の構成例の概略構成図である。
【図３】（Ａ）は図１に示すマルチキャリア信号送信装置の各位置Ａ、Ｂ、Ｃ及びＤにおけるマルチキャリア信号の時間変化を示す図であり、（Ｂ）は（Ａ）の各信号の周波数スペクトルを示す図である。
【図４】図１に示すピーク抑圧部の第１構成例の概略構成図である。
【図５】図４に示す窓関数生成部が生成する窓関数の例を示す図である。
【図６】（Ａ）は図４に例示するピーク抑圧部によるピーク抑圧前の信号を示す図であり、（Ｂ）は（Ａ）の信号のピーク部分に乗ぜられる窓関数を示す図であり、図６の（Ｃ）は（Ａ）の信号に（Ｂ）の窓関数を乗じた結果生じる信号を示す図である。
【図７】図１に示すピーク抑圧部の第２構成例の概略構成図である。
【図８】（Ａ）は図７に例示するピーク抑圧部によるピーク抑圧前の信号を示す図であり、（Ｂ）は遅延器で遅延した後の（Ａ）の信号を示す図であり、（Ｃ）は（Ｂ）の信号に対して乗ぜられる窓関数を示す図である。
【図９】図１に示すピーク抑圧部の第３構成例の概略構成図である。
【図１０】（Ａ）は図９に例示するピーク抑圧部によるピーク抑圧前の信号を示す図であり、（Ｂ）は（Ａ）の信号のピーク部分に乗ぜられる窓関数を示す図であり、（Ｃ）は（Ａ）の信号に（Ｂ）の窓関数を乗じた結果生じる信号を示す図である。
【図１１】図１に示すピーク抑圧部の第４構成例の概略構成図である。
【図１２】図１に示すピーク抑圧部の第５構成例の概略構成図である。
【図１３】（Ａ）は窓関数の対称性に基づいて窓関数全体の１／２の部分から窓関数全体を生成する場合であり、（Ｂ）は窓関数の対称性に基づいて窓関数全体の１／４の部分から窓関数全体を生成する場合である。
【図１４】図１に示すピーク抑圧部の第６構成例の概略構成図である。
【図１５】（Ａ）は図１４に例示するピーク抑圧部によるピーク抑圧前の信号を示す図であり、（Ｂ）は（Ａ）の信号の各ピーク部分にそれぞれ乗ぜられる窓関数を示す図であり、（Ｃ）は（Ａ）の信号に（Ｂ）の窓関数をそれぞれ乗じた結果生じる信号を示す図である。
【図１６】本発明によるマルチキャリア信号送信装置の第２実施例の概略構成図である。
【図１７】マルチキャリア変調を行なう従来の送信装置の概略構成図である。
【符号の説明】
【００７９】
１    マルチキャリア送信装置
５    ハードクリップ抑圧部
６    ローパスフィルタ
７    ピーク抑圧部
１０    ピーク検出部
２０    窓関数生成部
３０    ピーク減衰部
４１ａ〜４１ｘ    帯域制限フィルタ
４２ａ〜４２ｘ    正弦波発生器
４３ａ〜４３ｘ    複素乗算器
４４    マルチキャリア合成部４４
４５    送信アンプ
４６    周波数変換部
【図１】
2007194825.tif 000004
【図２】
2007194825.tif 000005
【図３】
2007194825.tif 000006
【図４】
2007194825.tif 000007
【図５】
2007194825.tif 000008
【図６】
2007194825.tif 000009
【図７】
2007194825.tif 000010
【図８】
2007194825.tif 000011
【図９】
2007194825.tif 000012
【図１０】
2007194825.tif 000013
【図１１】
2007194825.tif 000014
【図１２】
2007194825.tif 000015
【図１３】
2007194825.tif 000016
【図１４】
2007194825.tif 000017
【図１５】
2007194825.tif 000018
【図１６】
2007194825.tif 000019
【図１７】
2007194825.tif 000020